(57)【要約】【課題】取付作業が簡単で、押さえ具が仕切り板から浮くことなく透光性プレートの確実な取り付けができ、さらに、美観を損ねることのない透光性プレートの取付構造を提供すること。【解決手段】ドア本体１０ａに設けた枠状段部１２に係合溝１３を設けた。そして、ガラス板１４を固定するための押さえ具を、係合溝１３に係合する係合片１５ａとガラス板１４との間に隙間を形成する隙間形成片１５ｂを備えたＺ形金具１５と、ガラス板１４と隙間形成片１５ｂの間に差し込んでガラス板１４を固定するガラス押さえ１６とで構成した。また、スペーサ１７ａ等を設けた。さらに、ガラス押さえ１６を楔部１６ａと被覆部１６ｂで構成した。また、ガラス押さえ１６を一体的な枠体で構成した。また、開口部１１を四角形にし、Ｚ形金具１５を枠状段部１２の両側部と上端部にだけ設けた。【選択図】　図３
2004036297.tif 000002
【特許請求の範囲】
【請求項１】
仕切り板に設けた開口部の内周面に周面部と支持面部とからなる枠状段部を設け、前記支持面部に前面の周縁部を当てた状態で透光性プレートを前記枠状段部に設置し、前記透光性プレートの後面の周縁部を押さえ具で止めることにより、前記仕切り板に透光性プレートを取り付ける仕切り板における透光性プレートの取付構造において、
前記枠状段部の周面部に、前記周面部の周方向に沿って延びる係合溝を設け、
前記押さえ具を、
前記係合溝に係合する係合片と、前記係合片が前記係合溝に係合したときに、前記透光性プレートの後面との間に隙間を形成する隙間形成片とを備えた取付部材と、
前記透光性プレートの後面と前記隙間形成片との間の隙間に差し込むことにより、前記透光性プレートを前記枠状段部の支持面部に押し付けて前記透光性プレートを前記枠状段部に固定する楔部材と
で構成したことを特徴とする仕切り板における透光性プレートの取付構造。
【請求項２】
前記押さえ具が、前記取付部材の係合片と前記係合溝の側面との間および前記取付部材の隙間形成片と前記楔部材との間に差し込むためのスペーサを備えている請求項１に記載の仕切り板における透光性プレートの取付構造。
【請求項３】
前記楔部材を、前記透光性プレートの後面と前記取付部材の隙間形成片との間に差し込む楔部と、前記隙間形成片の表面を覆う被覆部とで構成した請求項１または２に記載の仕切り板における透光性プレートの取付構造。
【請求項４】
前記楔部材を、仕切り板に設けた開口部の周縁部に沿った一体からなる枠体で構成した請求項１ないし３のいずれか一つに記載の仕切り板における透光性プレートの取付構造。
【請求項５】
前記仕切り板に設けた開口部を四角形にするとともに、前記係合溝および前記取付部材を、前記枠状段部における両側部と上端部にだけ設けた請求項１ないし４のいずれか一つに記載の仕切り板における透光性プレートの取付構造。
【発明の詳細な説明】
【０００１】
【発明の属する技術分野】
本発明は、ドア、壁、パーテーション等、空間を仕切る仕切り板に設けた窓等の開口部に透光性プレートを取り付けるための仕切り板における透光性プレートの取付構造に関する。
【０００２】
【従来の技術】
従来から、建物のドアや壁等には、窓等の開口部を設けて、その開口部にガラス板を取り付けたものがある。このようなガラス板を開口部に取り付けるための取付構造として、例えば、ドアに設けた開口部の内周面に周面部と支持面部とからなる枠状段部を設けて、この枠状段部にガラス板を取り付けたものがある。この場合、ガラス板の固定は、ガラス板の周縁部に枠状の押さえ具を合わせて、この押さえ具を木ねじ等でドアの開口縁部に固定することにより行われている。
【０００３】
【発明が解決しようとする課題】
しかしながら、前述したガラス板の取付構造では、ガラス板を枠状段部から抜け止めする押さえ具をドアの開口縁部に固定するために多数の木ねじ等が必要になるため、取付作業が面倒であると共に、多数の木ねじがドアの表面または裏面に露呈するため見栄えが悪くなるという問題がある。さらに、押さえ具を木ねじ等によりいわゆる点で固定する構成であるので、部分的にガラス板の押さえが不十分となったり、押さえ具が反ってドア本体から浮いてしまい、ガラス板が外れ易くなったりという問題もある。
【０００４】
【発明の概要】
本発明は、上記問題に対処するためになされたもので、その目的は、取付作業が簡単で、透光性プレートの確実な固定ができ、さらに、美観を損ねることのない透光性プレートの取付構造を提供することである。
【０００５】
上記の目的を達成するため、本発明にかかる仕切り板における透光性プレートの取付構造の構成上の特徴は、仕切り板に設けた開口部の内周面に周面部と支持面部とからなる枠状段部を設け、支持面部に前面の周縁部を当てた状態で透光性プレートを前記枠状段部に設置し、透光性プレートの後面の周縁部を押さえ具で止めることにより、仕切り板に透光性プレートを取り付ける仕切り板における透光性プレートの取付構造において、枠状段部の周面部に、周面部の周方向に沿って延びる係合溝を設け、押さえ具を、係合溝に係合する係合片と、係合片が係合溝に係合したときに、透光性プレートの後面との間に隙間を形成する隙間形成片とを備えた取付部材と、透光性プレートの後面と隙間形成片との間の隙間に差し込むことにより、透光性プレートを枠状段部の支持面部に押し付けて透光性プレートを枠状段部に固定する楔部材とで構成したことにある。
【０００６】
前記のように構成した本発明の仕切り板における透光性プレートの取付構造では、透過性プレートを枠状段部に固定するための押さえ具を、係合溝に係合する係合片と隙間形成片とを備えた取付部材と、楔部材とで構成している。そして、隙間形成片は、係合片が係合溝に係合したときに、透光性プレートとの間に隙間を形成する。このため、取付部材と透光性プレートを枠状段部に取り付けて、隙間形成片と透光性プレートの隙間に楔部材を差し込むという簡単な操作によって、透光性プレートを枠状段部の支持面部に押し付けて固定することができる。また、押さえ具としての取付部材や楔部材を木ねじ等のいわゆる点による固定ではなく、係合溝への係合や隙間へ差し込むことにより固定するので部分的に透光性プレートの押さえが不十分となったり、取付部材や楔部材が仕切り板から浮いてしまったりすることもなく、透光性プレートの確実な固定ができる。この場合、仕切り板とは、ドア、壁、パーテーション等、空間を仕切るための板状体であり、透光性プレートとは、ガラスやプラスチック等からなる透光性を有する板状体である。
【０００７】
また、本発明にかかる仕切り板における透光性プレートの取付構造の他の構成上の特徴は、押さえ具が、取付部材の係合片と係合溝の側面との間および取付部材の隙間形成片と楔部材との間に差し込むためのスペーサを備えていることにある。これによると、取付部材の係合片と係合溝の側面との間および取付部材の隙間形成片と楔部材の間の隙間が大きすぎて、取付部材の係合片や楔部材だけの厚みでは、透光性プレートの固定を充分にできない場合には、その部分にスペーサを差し込むことにより、透光性プレートを確実に枠状段部に固定することができる。これによって、仕切り板の厚みにばらつきがあっても透過性プレートを適正な状態で取り付けることができる。
【０００８】
本発明にかかる仕切り板における透光性プレートの取付構造のさらに他の構成上の特徴は、楔部材を、透光性プレートの後面と取付部材の隙間形成片との間に差し込む楔部と、隙間形成片の表面を覆う被覆部とで構成したことにある。これによると、被覆部で、取付部材が取り付けられる開口部の周縁部が被覆されて見えなくなるため、美観が向上する。
【０００９】
本発明にかかる仕切り板における透光性プレートの取付構造のさらに他の構成上の特徴は、楔部材を、仕切り板に設けた開口部の周縁部に沿った一体からなる枠体で構成したことにある。これによると、例えば、開口部が四角形の場合であれば、四つの辺を構成する各部分の境界部に切れ目が無くなるため、さらに美観が向上する。また、枠体で構成することによって、楔部材に反りが生じなくなる。
【００１０】
本発明にかかる仕切り板における透光性プレートの取付構造のさらに他の構成上の特徴は、仕切り板に設けた開口部を四角形にするとともに、係合溝および取付部材を、枠状段部における両側部と上端部にだけ設けたことにある。これによると、枠状段部における下端部には空間部が形成されるため、結露防止の効果を奏するようになる。この場合、係合溝および取付部材は、枠状段部における両側部と上端部の全部に設けてもよいし、部分的に設けてもよい。
【００１１】
【発明の実施の形態】
以下、本発明の一実施形態を図面を用いて説明する。図１は、玄関ドア１０の内側面（家屋の内部側）を示しており、この玄関ドア１０には、本発明にかかる透光性プレートの取付構造が設けられている。この玄関ドア１０のドア本体１０ａは木材で構成されており、その上部中央には、縦長四角形の開口部１１が設けられている。そして、その開口部１１の内周面に、図２に示したように、ドア本体１０ａの厚み方向（図２の上下方向）に沿う周面部１２ａとドア本体１０ａの表裏面に沿う支持面部１２ｂとからなる枠状段部１２が形成されている。
【００１２】
そして、周面部１２ａにおける支持面部１２ｂ側の縁部には、支持面部１２ｂと平行して係合溝１３が設けられている。枠状段部１２は、開口部１１の内周面の全周に形成され、係合溝１３は、枠状段部１２の周面部１２ａにおける全周に設けても良いが、本実施形態においては両側部の中央部分と上端部の中央部分にだけ設けられている。
【００１３】
そして、図３に示すように、本発明の透過性プレートであるガラス板１４が、本発明の取付部材であるＺ形金具１５と、本発明の楔部材であるガラス押さえ１６とからなる押さえ具によって、枠状段部１２に固定されている。Ｚ形金具１５は、係合溝１３に係合可能な係合片１５ａと、係合片１５ａを係合溝１３に係合させて、ガラス板１４を枠状段部１２に取り付けたときに、ガラス板１４との間に隙間を形成する隙間形成片１５ｂと、係合片１５ａの一端と隙間形成片１５ｂの他端を連結する連結片１５ｃとで構成されて、断面形状が略Ｚ形になっている。
【００１４】
このＺ形金具１５は、アルミニウム製の押し出し材で構成され、枠状段部１２における係合溝１３が設けられた部分に取り付けられている。また、Ｚ形金具１５は、図４に示すように、薄い金属板からなる２枚のスペーサ１７ａ，１７ｂと一組で使用され、係合溝１３への係合片１５ａの係合が緩い場合には、係合溝１３の側面と係合片１５ａの間にスペーサ１７ａを入れる。また、係合溝１３への係合片１５ａの係合が適度な状態である場合には、スペーサ１７ａは使用しない。
【００１５】
ガラス押さえ１６は、Ｚ形金具１５の隙間形成片１５ｂとガラス板１４との間に差し込まれて、ガラス板１４の縁部を枠状段部１２の支持面部１２ｂに押さえ付けて固定するための楔部１６ａと、隙間形成片１５ｂの表面およびドア本体１０ａの内側面の一部を覆うための被覆部１６ｂとからなり、一体的に形成されたプラスチック製の枠体で構成されている。そして、被覆部１６ｂにおける隙間形成片１５ｂに対向する部分には、隙間形成片１５ｂとの接触を防止するための凹部１６ｃが形成されている。また、隙間形成片１５ｂとガラス板１４との間に楔片１６ａを差し込んだ際の係合が緩い場合には、隙間形成片１５ｂと楔片１６ａの間にスペーサ１７ｂを入れる。スペーサ１７ａ，１７ｂの厚みは所定値（例えば、ドア本体１０ａの厚みが、４５ｍｍ程度であれば、０．５ｍｍ）に設定される。
【００１６】
また、枠状段部１２の支持面部１２ｂとガラス板１４との間、およびガラス板１４と楔片１６ａの間には、それぞれ防水用のパッキン１８ａ，１８ｂが取り付けられている。また、ガラス押さえ１６の両側部、上部および下部のそれぞれ中央部分は、木ねじ１９によってドア本体１０ａに固定され、ガラス押さえ１６のずれが防止される。
【００１７】
この場合、ガラス板１４の全周に亘って前述した図３に示す構造により固定させても良いが、本実施の形態においては、ガラス板１４の下端部、両側部における上部分と下部分および上端部における左部分と右部分は、図５に示した状態で、枠状段部１２およびガラス押さえ１６に支持されている。ただし、両側部では、図５を９０度回転してガラス板１４を水平方向にした状態になり、上端部では、図５の上下方向が逆になる。また、これらの場合、ガラス板１４の端面は、周面部１２ａから少し離れた位置になる。また、ガラス押さえ１６におけるこの部分には、凹部１６ｃは形成されていない。このようにして構成された玄関ドア１０は、防水性、断熱性および気密性に優れたものとなる。
【００１８】
この構成において、ガラス板１４のドア本体１０ａへの取り付けは、つぎのようにして行われる。まず、枠状段部１２の支持面部１２ｂの全周に防水用のパッキン１８ａを取り付ける。ついで、枠状段部１２の周面部１２ａに設けられた係合溝１３に、係合片１５ａを係合させることによって、Ｚ形金具１５を、枠状段部１２の両側部における中央部分と、上端部における中央部分にそれぞれ取り付ける。つぎに、ガラス板１４の周縁部を、支持面部１２ｂに取り付けられたパッキン１８ａに合わせて、ガラス板１４を枠状段部１２に取り付ける。
【００１９】
ついで、ガラス板１４の後面（内側面）における周縁部にパッキン１８ｂを取り付ける。なお、このパッキン１８ｂは、ガラス板１４を枠状段部１２に取り付けたのちに取り付けてもよいし、予め、ガラス板１４に取り付けておき、そのパッキン１８ｂが取り付けられたガラス板１４を枠状段部１２に取り付けてもよい。
【００２０】
つぎに、Ｚ形金具１５の隙間形成片１５ｂと、ガラス板１４の間に、ガラス押さえ１６を取り付ける。この取り付けは、まず、ガラス押さえ１６をガラス板１４の周縁部に合わせて、ガラス押さえ１６の上端部の楔部１６ａを、Ｚ形金具１５の隙間形成片１５ｂとガラス板１４の間に押し込んでガラス板１４の上端部を固定する。
【００２１】
ついで、ガラス押さえ１６の両側部のうちの一方の側部を四角枠状の内側に撓ませた状態で、楔部１６ａを、Ｚ形金具１５の隙間形成片１５ｂとガラス板１４の間に位置あわせしたのち、その隙間に押し込む。つづいて、ガラス押さえ１６の他方の側部を四角枠状の内側に撓ませた状態で、その楔部１６ａを、Ｚ形金具１５の隙間形成片１５ｂとガラス板１４の間に位置あわせして、その隙間に押し込む。そして、最後に、ガラス押さえ１６の４つの辺のそれぞれ中央部に木ねじ１９を打ち付けて、ガラス押さえ１６のずれを防止する。これによって、ガラス板１４のドア本体１０ａへの取り付けが終了する。
【００２２】
このように、この実施形態によるガラス板１４の取付構造によれば、Ｚ形金具１５を係合溝１３に取り付けるとともに、ガラス板１４を枠状段部１２に取り付けて、隙間形成片１５ｂとガラス板１４の間にガラス押さえ１６の楔部１６ａを差し込むだけの簡単な操作によって、ガラス板１４をドア本体１０ａに取り付けることができる。また、ガラス押さえ１６は、楔部１６ａを隙間形成片１５ｂとガラス板１４の間に差し込んだ状態で、取り付けられているため、ドア本体１０ａの後面から浮いてしまうことはなく、ガラス板１４の確実な固定ができる。
【００２３】
また、ガラス押さえ１６は被覆部１６ｂを備えており、この被覆部１６ｂによって、Ｚ形金具１５が取り付けられるドア本体１０ａの後面の部分は覆われるため、得られる玄関ドア１０は、美観の優れたものとなる。この場合、ガラス押さえ１６における隙間形成片１５ｂと対向する部分には、凹部１６ｃが設けられて、被覆部１６ｂが隙間形成片１５ｂと接触することが防止される。これによって、被覆部１６ｂは、ドア本体１０ａの後面と密着状態になる。さらに、Ｚ形金具１５およびガラス押さえ１６の取り付けに際しては、スペーサ１７ａ，１７ｂの使用が可能であるため、それぞれの係合部が緩むことなく確実な取り付けが可能になる。また、枠状段部１２の下端部には、係合溝１３やＺ形金具１５を設けないため、空間部が形成され結露防止効果も生じる。
【００２４】
図６は、本発明の他の実施形態で用いるＺ形金具２１を示している。このＺ形金具２１は、Ｚ形金具１５と同様の、係合片２１ａ、隙間形成片２１ｂおよび連結片２１ｃを備えている。そして、図６における連結片２１ｃの一方の面における上端部には、係合片２１ａと平行して、スペーサ２２ａが連結され、連結片２１ｃの他方の面における下端部には、係合片２１ｂと平行して、スペーサ２２ｂが連結されている。
【００２５】
スペーサ２２ａ，２２ｂのそれぞれ対応する係合片２１ａ，２１ｂとの連結部は、薄肉に形成されて、スペーサ２２ａ，２２ｂは、それぞれ連結部を中心として、図６に矢印で示した方向に折り曲げることができる。そして、スペーサ２２ａ，２２ｂは、折り曲げると二点鎖線で示したように連結片２１ｃのそれぞれ対応する面に沿うようになる。したがって、係合片２１ａとスペーサ２２ａの合計の厚みが大きすぎる場合には、スペーサ２２ａを折り曲げた状態で、係合片２１ａだけを係合溝１３に係合させる。また、隙間形成片２１ｂとスペーサ２２ｂの合計の厚みが大きすぎる場合には、スペーサ２２ｂを折り曲げた状態で、隙間形成片２１ｂとガラス板１４の間に楔片１６ａを押し込む。
【００２６】
この実施形態では、Ｚ形金具２１以外の部分の構成については、前述した実施形態と同一の構成をとっている。また、Ｚ形金具１５とスペーサ１７ａ，１７ｂに代えて、このＺ形金具２１を用いても、前述した実施形態と同様の作用効果を得ることができる。
【００２７】
また、前述した実施形態の各部分の構成については、適宜、変更実施が可能である。例えば、前述した実施形態では、枠状段部１２の下端部には、係合溝１３やＺ形金具１５，２１を取り付けていないが、この部分にも係合溝１３やＺ形金具１５，２１を取り付けて、ガラス板１４の固定をより強固にすることもできる。また、適宜、ガラス板１４を固定するための場所を選択して、その部分に係合溝１３やＺ形金具１５，２１を取り付けることもできる。
【００２８】
さらに、ガラス押さえ１６は、一体で構成される枠体でなく、４個の棒状のもので構成することもできる。また、開口部１１の形状は、四角形に限らず、三角形や丸形、さらに、四角以上の多角形に形成することもできる。また、仕切り板としても、玄関ドア１０に限らず、家屋内のドアや、窓を備えた壁やパーテーション等、開口部を設け、その開口部にガラス等の透過性プレートを取り付ける仕切り板であれば何にでも使用することができる。
【図面の簡単な説明】
【図１】本発明の一実施形態によるガラス板の取付構造を備えた玄関ドアの要部を示す正面図である。
【図２】ドア本体の開口部に設けられた枠状段部を示す断面図である。
【図３】ガラス板をＺ形金具とガラス押さえを用いてドア本体に取り付けた構造を示す断面図である。
【図４】Ｚ形金具とスペーサを示す斜視図である。
【図５】枠状段部の下端部におけるガラス板の取付構造を示す断面図である。
【図６】他の実施形態で使用するＺ形金具を示す斜視図である。
【符号の説明】
１０…玄関ドア、１０ａ…ドア本体、１１…開口部、１２…枠状段部、１２ａ…周面部、１２ｂ…支持面部、１３…係合溝、１４…ガラス板、１５，２１…Ｚ形金具、１６…ガラス押さえ、１６ａ…楔片、１６ｂ…被覆片、１７ａ，１７ｂ，２２ａ，２２ｂ…スペーサ。
【図１】
2004036297.tif 000003
【図２】
2004036297.tif 000004
【図３】
2004036297.tif 000005
【図４】
2004036297.tif 000006
【図５】
2004036297.tif 000007
【図６】
2004036297.tif 000008